(57)【要約】【課題】  記録媒体挿入口用に照明装置を設ける必要がなく、また、前面パネルの角度に応じて、表示部の表示状態を最適な設定に変更する記録媒体再生装置、ナビゲーション装置、その制御方法、制御プログラム及び記録媒体を提供する。【解決手段】  記録媒体の挿入口を前面に有し、この挿入口に挿入された記録媒体のデータを再生する装置本体１０と、各種情報を表示する表示装置１４を有する前面パネル１１であって、この前面パネル１１の上縁部が前記装置本体１０の前面に沿って移動しつつ、前記挿入口を露出可能に傾斜する前面パネル１１とを備えた記録媒体再生装置において、前記表示装置１４が前記挿入口を露出する位置に傾斜した場合に、前記表示装置１４の表示状態を、前記表示装置１４が前記挿入口を照明可能な予め設定した表示状態に制御する表示制御手段を備えた。【選択図】      図４
2006099867.tif 000002
【特許請求の範囲】
【請求項１】
記録媒体の挿入口を前面に有し、この挿入口に挿入された記録媒体のデータを再生する装置本体と、各種情報を表示する表示装置を有する前面パネルであって、この前面パネルの上縁部が前記装置本体の前面に沿って移動しつつ、前記挿入口を露出可能に傾斜する前面パネルとを備えた記録媒体再生装置において、
前記表示装置が前記挿入口を露出する位置に傾斜した場合に、前記表示装置の表示状態を、前記表示装置が前記挿入口を照明可能な予め設定した表示状態に制御する表示制御手段を備えたことを特徴とする記録媒体再生装置。
【請求項２】
前記予め設定した表示状態として、前記表示装置の輝度を予め定めた輝度に設定することを特徴とする請求項１記載の記録媒体再生装置。
【請求項３】
前記予め設定した表示状態として、前記表示装置に白色画面を表示させることを特徴とする請求項１または２記載の記録媒体再生装置。
【請求項４】
前記前面パネルを、前記挿入口を露出させる予め定めた傾斜角度に傾斜させる第１の傾斜指示と、前記前面パネルを任意の傾斜角度に傾斜させる第２の傾斜指示とをユーザーが入力する指示入力手段を備え、
前記表示制御手段は、前記指示入力手段により前記第１の傾斜指示が入力された場合、前記予め設定した表示状態に制御すると共に、前記指示入力手段により前記第２の傾斜指示が入力された場合、この第２の傾斜指示に応じて傾斜した前記表示装置の表示内容の視認性を向上させるべく、前記表示装置の表示状態を予め設定した他の表示状態に制御することを特徴とする請求項１乃至３のいずれか一項記載の記録媒体再生装置。
【請求項５】
前記予め設定した他の表示状態は、前記表示装置の輝度／色調を予め設定した値にした表示状態であることを特徴とする請求項４記載の記録媒体再生装置。
【請求項６】
前記表示制御手段は前記第２の傾斜指示による傾斜が、第１の傾斜指示による傾斜と同じ場合であっても、前記表示装置の表示状態が前記第２の傾斜指示が入力されたときの表示状態を保つことを特徴とする請求項１乃至５のいずれか一項記載の記録媒体再生装置。
【請求項７】
前記表示制御手段は、記録媒体の挿入または排出操作が行われることにより、前記第２の傾斜指示に伴う表示状態を、前記第１の傾斜指示に伴う表示状態に移行することを特徴とする請求項１乃至６のいずれか一項記載の記録媒体再生装置。
【請求項８】
記録媒体の挿入口を前面に有し、この挿入口に挿入された記録媒体のデータを再生する装置本体と、各種情報を表示する表示装置を有する前面パネルであって、この前面パネルの上縁部が前記装置本体の前面に沿って移動しつつ、前記挿入口を露出可能に傾斜する前面パネルとを備えた記録媒体再生装置を制御する制御方法において、
前記表示装置が前記挿入口を露出する位置に傾斜する過程と、
前記表示装置の表示状態を、前記表示装置が前記挿入口を照明可能な予め設定した表示状態に制御する過程と、を備えたことを特徴とする記録媒体再生装置の制御方法。
【請求項９】
記録媒体の挿入口を前面に有し、この挿入口に挿入された記録媒体のデータを再生する装置本体と、各種情報を表示する表示装置を有する前面パネルであって、この前面パネルの上縁部が前記装置本体の前面に沿って移動しつつ、前記挿入口を露出可能に傾斜する前面パネルとを備えた記録媒体再生装置を、コンピュータにより制御するための制御プログラムにおいて、
前記表示装置が前記挿入口を露出する位置に傾斜させ、
前記表示装置の表示状態を、前記表示装置が前記挿入口を照明可能な予め設定した表示状態に制御させることを特徴とする制御プログラム。
【請求項１０】
請求項９記載の制御プログラムを記録したことを特徴とするコンピュータ読み取り可能な記録媒体。
【発明の詳細な説明】
【技術分野】
【０００１】
本発明は、記録媒体再生装置、目的地までの誘導経路を探索するナビゲーション装置、その制御方法、制御プログラム及び記録媒体に関する。
【背景技術】
【０００２】
近年、車載型のナビゲーション装置において、表示部や操作部により構成される前面パネルが本体の前面に設けられ、通常使用時には前面パネルがＤＶＤやＣＤ、ＭＤ等の記録媒体挿入口を塞ぐように垂直に位置し、前面パネルが開くことにより記録媒体の挿入口が露出し、また、ユーザーがこの前面パネルが開いた状態と閉まった状態の間の任意な位置に設定する任意角度設定（ＴＩＬＴ機能）によりユーザーによる視認性を向上させるものが知られている。このようなナビゲーション装置では、前面パネルを開き、挿入口を露出した状態では、表示部は消灯（黒画面）または通常使用時の表示状態を維持し、奥まったところに配置される挿入口付近が影となって見えづらく、挿入口付近を明るくするために、挿入口用に照明を設けていた（例えば、参考文献１参照）。
【特許文献１】特開２０００−１３２９５５号公報
【発明の開示】
【発明が解決しようとする課題】
【０００３】
しかしながら、上記従来の技術にあっては、記録媒体挿入口用に照明を必要とするため、挿入口照明部品を配置する基板が必要であった。また、表示部の表示状態（輝度、色調等）の設定は一つの設定モードしかないため、通常使用時、任意角度設定時には同一の表示状態設定、記録媒体挿入排出時には通常使用時、任意角度設定時と同一の表示状態設定、または消灯となっていた。このために、ユーザーは通常使用時、任意角度設定時、記録媒体挿入排出時のいずれかのときに最適になるような表示状態設定を、すべての表示状態において流用する必要があった。
【０００４】
本発明は、上述した事情に鑑みてなされたものであり、記録媒体挿入口用に照明装置を設ける必要がなく、また、前面パネルの角度に応じて、表示部の表示状態を最適な設定に変更する記録媒体再生装置、ナビゲーション装置、その制御方法、制御プログラム及び記録媒体を提供することを目的とする。
【課題を解決するための手段】
【０００５】
本発明は、記録媒体の挿入口を前面に有し、この挿入口に挿入された記録媒体のデータを再生する装置本体と、各種情報を表示する表示装置を有する前面パネルであって、この前面パネルの上縁部が前記装置本体の前面に沿って移動しつつ、前記挿入口を露出可能に傾斜する前面パネルとを備えた記録媒体再生装置において、前記表示装置が前記挿入口を露出する位置に傾斜した場合に、前記表示装置の表示状態を、前記表示装置が前記挿入口を照明可能な予め設定した表示状態に制御する表示制御手段を備えたことを特徴とする。
【０００６】
この場合において、前記予め設定した表示状態として、前記表示装置の輝度を予め定めた輝度に設定してもよい。前記予め設定した表示状態として、前記表示装置に白色画面を表示させてもよい。
【０００７】
また、前記前面パネルを、前記挿入口を露出させる予め定めた傾斜角度に傾斜させる第１の傾斜指示と、前記前面パネルを任意の傾斜角度に傾斜させる第２の傾斜指示とをユーザーが入力する指示入力手段を備え、前記表示制御手段は、前記指示入力手段により前記第１の傾斜指示が入力された場合、前記予め設定した表示状態に制御すると共に、前記指示入力手段により前記第２の傾斜指示が入力された場合、この第２の傾斜指示に応じて傾斜した前記表示装置の表示内容の視認性を向上させるべく、前記表示装置の表示状態を予め設定した他の表示状態に制御することを特徴とする。
【０００８】
この場合において、前記予め設定した他の表示状態は、前記表示装置の輝度／色調を予め設定した値にした表示状態としてもよい。前記表示制御手段は前記第２の傾斜指示による傾斜が、第１の傾斜指示による傾斜と同じ場合であっても、前記表示装置の表示状態が前記第２の傾斜指示が入力されたときの表示状態を保ってもよい。前記表示制御手段は、記録媒体の挿入または排出操作が行われることにより、前記第２の傾斜指示に伴う表示状態を、前記第１の傾斜指示に伴う表示状態に移行してもよい。
【０００９】
また、本発明は、記録媒体の挿入口を前面に有し、この挿入口に挿入された記録媒体のデータを再生する装置本体と、各種情報を表示する表示装置を有する前面パネルであって、この前面パネルの上縁部が前記装置本体の前面に沿って移動しつつ、前記挿入口を露出可能に傾斜する前面パネルとを備えた記録媒体再生装置を制御する制御方法において、前記表示装置が前記挿入口を露出する位置に傾斜する過程と、前記表示装置の表示状態を、前記表示装置が前記挿入口を照明可能な予め設定した表示状態に制御する過程と、を備えたことを特徴とする。
【００１０】
また、本発明は、記録媒体の挿入口を前面に有し、この挿入口に挿入された記録媒体のデータを再生する装置本体と、各種情報を表示する表示装置を有する前面パネルであって、この前面パネルの上縁部が前記装置本体の前面に沿って移動しつつ、前記挿入口を露出可能に傾斜する前面パネルとを備えた記録媒体再生装置を、コンピュータにより制御するための制御プログラムにおいて、前記表示装置が前記挿入口を露出する位置に傾斜させ、前記表示装置の表示状態を、前記表示装置が前記挿入口を照明可能な予め設定した表示状態に制御させることを特徴とする。
【００１１】
また、本発明は、コンピュータ読み取り可能な記録媒体において、前記制御プログラムを記録したことを特徴とする。
【発明の効果】
【００１２】
本発明によれば、表示部の角度に応じた最適な表示状態にすることができる。
【発明を実施するための最良の形態】
【００１３】
以下図面を参照して、本発明の実施の形態について説明する。
【００１４】
図１は本実施の形態に係るナビゲーション装置１の外観構成を示す斜視図である。この図に示すように、ナビゲーション装置１は、車両のダッシュボードに設けられた所定の収納スペースに嵌め込まれる装置本体１０と、この装置本体１０の正面に設けられた操作パネル１１とを備えている。操作パネル１１は、枠体としてのフェイスパネル１２と、このフェイスパネル１２上に設けられた複数の操作スイッチ、操作パネル開閉ボタン（オープン／ＴＩＬＴキー）１３と、フェイスパネル１２に嵌め込まれた表示パネル１４とを有している。この表示パネル１４には、現在地点の周辺地図、車両の現在位置、及び、目的地までの経路が表示され、これにより経路案内が行われる。
【００１５】
操作パネル１１は、図２に示すように、装置本体１０の正面に設けられた収納部１５に開閉自在に取り付けられている。具体的には、図３に示すように、収納部１５両側の側壁１６の面内には、上下に延びるガイド溝１７が形成され、操作パネル１１の上方両端側に設けられた突起１８が上記ガイド溝１７に移動自在に取り付けられると共に、操作パネル１１の下方両端側にはパネル駆動機構１９が取り付けられている。このパネル駆動機構１９は、装置本体１０の正面に向けて突出して操作パネル１１の下端部を押し出すものであり、図示せぬモータによって突出駆動されるスライドバー２０を有し、このスライドバー２０の先端が操作パネル１１の側面下方に軸ピン２１により連結され、操作パネル１１を回転自在に支持している。
【００１６】
したがって、パネル駆動機構１９による操作パネル１１の下端部の押し出し動作に伴い、突起１８がガイド溝１７に沿って下方側に移動することで、操作パネル１１が傾動し、前掲図２に示すように、操作パネル１１が開かれ、そして、装置本体１０の正面が露出する。これとは逆に、パネル駆動機構１９が操作パネル１１の下端部を引き戻し、突起１８がガイド溝１７に沿って上方側に移動することで、前掲図１に示すように操作パネル１１が閉じ、装置本体１０が操作パネル１１に覆われた状態となる。この操作パネル１１の開閉動作、すなわち、上記スライドバー２０を駆動する図示せぬモータの始動は、操作パネル１１のフェイスパネル１２上に配設された操作パネル開閉ボタン１３の操作に基づいて行われる。
【００１７】
装置本体１０の正面には、図４に示すように、ＭＤ（Mini Disc）が挿入されるＭＤ挿入口２２や、このＭＤ挿入口２２からＭＤを排出するための排出ボタン２３、ＣＤ（Compact Disc）或いはＤＶＤ(Digital Versatile Disk)等のディスク型記録媒体（光ディスク）が挿入されるディスク挿入口２４、ディスク挿入口２４からディスク型記録媒体を排出するための排出ボタン２５などが設けられている。これらの挿入口２２、２４は、上述の通り、通常時は操作パネル１１により覆われており、操作パネル開閉ボタン１３を操作して操作パネル１１を開くことで、挿入口２２、２４にアクセス可能となる。
【００１８】
次いで、操作パネル１１に設けられた表示パネル１４の構成について詳細に説明する。図５に示すように、表示パネル１４は、液晶駆動回路基板２６と、液晶パネル２７と、タッチパネル２８とを有し、これらがこの順で積層配置されている。タッチパネル２８には、抵抗膜方式のものが用いられ、透明度（光透過度）が高く、液晶パネル２７の表示がタッチパネル２８を通して視認可能になされている。したがって、液晶パネル２７に各種操作のためのメニュー画面や操作画面が表示されているときに、タッチパネル２８を指先等でタッチ操作することで、各種操作が可能となっている。このように、本ナビゲーション装置１にあっては、フェイスパネル１２に設けた操作スイッチに加え、タッチパネル２８による操作も行うことができるようになっている。なお、表示パネル１４としては、上記液晶パネル２７に代えて、例えば有機ＥＬ（Electro-Luminescence）パネル等を用いることも可能である。
【００１９】
図６は、ナビゲーション装置１の主要構成を示すブロック図である。
ナビゲーション装置１は、ＭＰＵ（接続制御手段）３０を備え、このＭＰＵ３０は、ナビゲーション装置１の各部を中枢的に制御するものであり、このＭＰＵ３０には、ＭＤ挿入口２２から挿入されたＭＤ、ディスク挿入口２４から挿入されたＣＤ或いはＤＶＤ等を読み取るための記録媒体読取部３１が接続されている。
記録媒体読取部３１に装填された記録媒体は、ＭＰＵ３０によりアクセスされ、ＭＰＵ３０は、記録媒体に記録された各種データ（音楽データ等）の読み取りを行う。
【００２０】
また、ＭＰＵ３０には、記録媒体読取部３１から読み出したデータ等を一時的に格納するＲＡＭ３３が接続されると共に、サブＭＰＵ３４が接続される。サブＭＰＵ３４は、制御用プログラム等の各種データを記憶するＲＯＭ、データを一時的に格納するＲＡＭ、ＲＯＭに記憶されたプログラムやデータに基づいて各種制御を行うＣＰＵを有し、ＭＰＵ３０の制御の下、表示パネル１４の表示制御等を行う。
【００２１】
ＭＰＵ３０はタイマカウンタを有することにより、第１の所定時間（例えば０．２秒）を越え、かつ、第１の所定時間より長い第２の所定時間（例えば２秒）未満操作パネル開閉ボタンが継続して操作なされたときに短押しがなされたと判定する。また、ＭＰＵ３０は、第２の所定時間以上操作パネル開閉ボタンが継続して操作なされたときに長押しがなされたと判定する。ここで、第１の所定時間は、外部ノイズの影響やチャタリングを防止するために設けられている。
【００２２】
また、このサブＭＰＵ３４には、ユーザインターフェースとして機能する操作部３６とが接続され、サブＭＰＵ３４は、これら挿入検出スイッチの状態及び操作部３６の操作を示す情報をＭＰＵ３０に通知する。操作部３６は、操作スイッチ、表示パネル１４の開閉を指示する操作パネル開閉ボタン１３や表示パネル１４のタッチパネル２８を含み、サブＭＰＵ３４は、これら操作スイッチ、操作パネル開閉ボタン１３やタッチパネル２８の所定領域（開閉指示用アイコンの表示領域）が操作されると、当該サブＭＰＵ３４に接続されたモータドライバ３７の制御を行う。
このモータドライバ３７は、サブＭＰＵ３４の制御の下、表示パネル１４の駆動手段として機能するモータ３８の駆動信号を生成してモータ３８に出力し、モータ３８は、この駆動信号に基づき正転駆動或いは逆転駆動し、表示パネル１４を開閉する。
【００２３】
音出力部３９はサブＭＰＵ３４の制御の下、音楽や音声を出力するものであり、例えば、記録媒体に記録された音楽データの再生にあっては、記録媒体読取部３１によって読み取られた音楽データが音出力部３９に出力され、音楽が再生される。
【００２４】
表示部４０は、サブＭＰＵ３４の制御の下、地図等の各種情報を表示するものであり、描画回路４１と、バックライト４２、液晶駆動回路４３と、上述した液晶パネル２７とを備えている。描画回路４１は、地図データ等を含む描画コマンドＤＳＳをサブＭＰＵ３４から受け取り、この描画コマンドＤＳＳに基づく表示を行うべくバックライト４２と液晶駆動回路４３とを制御するものであり、描画プロセッサとＶＲＡＭとを備えている。描画プロセッサは、描画コマンドＤＳＳに基づいて液晶パネル２７に表示すべき描画データ（例えばビットマップ画像データ）を生成するものであり、ＶＲＡＭ（Video RAM）は描画データを保持するものである。液晶駆動回路４３はＶＲＡＭに保持されている描画データを順次受け取り、この描画データに基づいて液晶パネル２７に表示するものである。これら描画回路４１、バックライト４２、液晶駆動回路４３は、上述した液晶駆動回路基板２６に実装されている。
【００２５】
ＧＰＳ（Global Positioning System）ユニット４４は、ＧＰＳ衛星から送信されているＧＰＳ電波を受信するアンテナ（レシーバでも良い）を備え、ＧＰＳ電波に基づいて、車両の現在地点を示す位置座標と、進行方向とを計算し、位置検出信号ＰＳとしてサブＭＰＵ３４に出力するものである。サブＭＰＵ３４は、経路探索時においては、位置検出信号ＰＳにより示される現在地点から目的地までの誘導経路を探索して探索結果を液晶パネル２７に表示し、また、経路案内時には、位置検出信号ＰＳに基づいて現在位置の移動状況を地図と共に液晶パネル２７に表示して経路案内を行う。
【００２６】
チューナー部４５はＦＭ多重受信処理部、ビーコン受信処理部、ＴＶ受信処理部により構成されており、ＦＭ多重受信処理部は、サブＭＰＵ３４の制御の下、ＦＭ多重放送波を受信して、渋滞や事故、交通規制といったＶＩＣＳ情報や天気予報といった情報を取り出し、サブＭＰＵ３４に出力するものである。
【００２７】
チューナー部４５を構成するビーコン受信処理部は、サブＭＰＵ３４の制御の下、車両走行中の道路に関するＶＩＣＳ情報（道路交通情報）を受信し、サブＭＰＵ３４に出力するものである。これらＶＩＣＳ情報や天気予報といった情報は、交通に関する情報であり、また、運転者にとって車両運転上の手助けとなる情報である。このような情報を以下の説明では走行補助情報と称することにする。本実施の形態では、ＦＭ多重受信処理部及びビーコン受信処理部は、走行補助情報を示す文字情報を取得しており、走行補助情報受信時には、この文字情報がサブＭＰＵ３４に出力される。サブＭＰＵ３４は、走行補助情報を液晶パネル２７に表示する際には、ＦＭ多重受信処理部或いはビーコン受信処理部から受け取った文字情報に基づいて描画コマンドＤＳＳを生成し、液晶パネル２７に出力することで、走行補助情報の表示を行う。
【００２８】
また、チューナー部４５を構成するＴＶ受信処理部は、サブＭＰＵ３４の制御の下、ＴＶ（テレビジョン）放送波を受信してＴＶ映像及びＴＶ音声をサブＭＰＵ３４に出力するものであり、図示せぬＴＶチューナ回路を備えている。ＴＶ映像は動画像として液晶パネル２７に表示され、また、ＴＶ音声は音出力部３９から出力される。
【００２９】
操作部３６は、スイッチ操作部と、タッチパネル操作部とを備えている。スイッチ操作部は、上述した操作スイッチに加え、この操作スイッチの操作を電気信号に変換してスイッチ信号ＳＳをサブＭＰＵ３４に出力するスイッチ回路基板（図示せず）を備えている。タッチパネル操作部は、上述したタッチパネル２８に加え、タッチパネル２８の操作を電気信号に変換してタッチ信号ＴＳをサブＭＰＵ３４に出力するタッチパネル回路基板（図示せず）を備えている。タッチ信号ＴＳには、タッチパネル２８の面上の操作個所を示す座標情報が含まれており、これにより、サブＭＰＵ３４が、液晶パネル２７に表示されている操作ボタンのうち、どの操作ボタンが操作されたかを識別可能となる。
【００３０】
本実施形態では、前掲図３における突起１８がガイド溝１７の最上部に位置する状態、すなわち、前掲図１に示すように操作パネル１１が垂直である通常使用時の状態を、操作パネル１１が閉じた状態。突起１８がガイド溝１７の最下部に位置する状態、すなわち、前掲図４に示すように操作パネル１１が水平である状態を、操作パネル１１が開いた状態。突起１８がガイド溝１７の最上部と最下部の間の任意な位置に固定された状態、すなわち、前掲図２に示すように操作パネル１１が任意な角度で固定された状態を、任意角度状態とする。
【００３１】
本実施形態におけるナビゲーション装置１では、操作パネル１１が閉じた状態、操作パネル１１が任意角度の状態、操作パネル１１が開いた状態、の３つの状態に応じて、輝度や色調等の画面表示設定や表示映像をそれぞれ別々に設定することができる。例えば図７に示すように、操作パネル１１が閉じた状態（ａ）では輝度を低くし、操作パネル１１が開いた状態（ｂ）では表示パネル１４により記録媒体挿入口等を照らすために輝度を高く設定する。また、図８に示すように、操作パネル１１が閉じた状態（ａ）と操作パネル１１が任意角度状態（ｂ）とで、表示パネルの視認性が最適となるように、コントラスト、色の濃さ、色合い等をそれぞれ設定することができる。
【００３２】
本実施形態におけるナビゲーション装置１の制御方法について、先ず、前掲図２に示すように操作パネル１１が任意角度状態となる場合について説明する。前掲図１に示す操作パネル１１が閉じた状態で、ユーザーが操作パネル開閉ボタン１３を長押しし続けている限り、ＭＰＵ３０は操作パネル１１が開いた状態になるまで操作パネル１１を動かし続ける。このとき、操作パネル１１が任意角度状態に移行し、ＭＰＵ３０は表示パネル１４の画面表示設定を操作パネル１１が任意角度状態のときの設定値に変更する。ここで、本実施の形態では操作パネル１１が閉じた状態、任意角度状態、開いた状態の３つの状態に伴う３つの画面表示設定を有し、操作パネル１１の角度が閉じた状態に近い任意角度状態では、表示パネル１４の視認性は閉じた状態に近いため、ＭＰＵ３０は操作パネル１１が閉じた状態から任意角度状態に移行しても、所定の角度を超えるまでは、表示パネル１４の画面表示設定を操作パネル１１が閉じた状態の設定を維持する。ＭＰＵ３０がこのように画面表示設定を変更することにより、例えば、操作パネル１１が傾いたために外部からの光が反射することによって表示パネル１４の表示が見づらくなったときに等に、表示パネル１４の輝度を高くすることにより、表示パネル１４の視認性を改善することができる。
【００３３】
次に、前掲図４に示すように操作パネル１１が開いた状態について説明する。前掲図１に示す操作パネル１１が閉じた状態または前掲図２に示す操作パネル１１が任意角度状態で、ユーザーが操作パネル開閉ボタン１３を短押しすることにより、ＭＰＵ３０は前掲図６に示すように操作パネル１１を開いた状態にする。このとき、操作パネル１１が開くと同時に表示パネル１４の画面表示設定を、操作パネル１１を開いた状態の画面表示設定の値に変更、または、表示映像を切り替えて表示画面全体を最も明るい白とすることにより、表示パネル１４により記録媒体挿入口等を明るく照らす。ここで液晶パネル２７の性質上、表示画面全体を最も明るい白とすれば表示画面は最も明るくなるが、オレンジ、青等のユーザーの設定した色に変更することもできる。ＭＰＵ３０がこのように画面表示の設定を変更することにより、ＭＤ挿入口２２、ＭＤ排出ボタン２３、ディスク挿入口２４、ディスク排出ボタン２５等を照らす挿入口用の照明を有さなくても、例えば、輝度を高くすることにより、表示パネル１４の表示が明るくなり、それぞれの挿入口や排出ボタンが明るく照らされ、ユーザーはそれらを認知し易くなる。
【００３４】
本実施の形態では、操作パネル１１が任意角度状態である場合において、操作パネル１１が開いた状態と同等の角度に達した場合は、任意角度状態の画面表示設定を保つが、このときに、ユーザーが操作パネル開閉ボタン１３を短押し、記録媒体の挿入または排出操作をした場合には、操作パネル１１が開いた状態の画面表示設定となり、表示パネル１４によって記録媒体挿入口や排出ボタンが明るく照らされる。
【００３５】
以下に、操作パネル１１が開いた状態において、ＭＰＵ３０が表示映像を変更する場合の変形例について説明する。
【００３６】
本実施の形態の変形例に係るナビゲーション装置の外観構成を示す斜視図を図９に示す。
【００３７】
本実施の形態の変形例に係るナビゲーション装置ではＣＤドライブとＤＶＤドライブとを有しており、上段にＣＤ挿入口５３及びＣＤ排出ボタン５４、下段にＤＶＤ挿入口５１及びＤＶＤ排出ボタン５２の配置となっている。操作パネル１１が閉じた状態、あるいは、任意角度状態において、ユーザーがＣＤまたはＤＶＤの挿入または排出操作を行う際に、操作パネル開閉ボタン１３を短押しすると、操作パネル１１が開いた状態となる。このとき、表示パネル１４の表示映像は図１０に示す映像に変更される。この表示映像には様々な記録媒体情報を表示することが可能であり、ＣＤドライブとＤＶＤドライブに関して、それぞれの記録媒体挿入口にＣＤあるいはＤＶＤが挿入されているかどうか、それぞれの記録媒体読取装置で使用可能な記録媒体の種類、それぞれの記録媒体読取装置で使用不可能な記録媒体の種類、現在挿入されている記憶媒体の種類を表示している。
【００３８】
図１０について詳しく説明する。表示パネル１４左側から、上段にＣＤドライブ、下段にＤＶＤドライブの構成のナビゲーション装置であり、現在、上段のＣＤドライブには記録媒体が挿入されており、下段のＤＶＤドライブには記録媒体が挿入されていないということがわかる。また、表示パネル１４右側はＣＤ、ＤＶＤそれぞれのドライブに使用可能な記録媒体、使用不可能な記録媒体が表示されており、この記録媒体情報表示により、上段のＣＤドライブには使用可能な記録媒体であるＣＤ−ＤＡが挿入されており、下段のＤＶＤドライブには何も入っていないため、記録媒体の種類が選択されていないことがわかる。
【００３９】
このように記録媒体情報を簡潔に表示させ、ユーザーによる記録媒体の挿入、排出の利便性を高めることができる。
【００４０】
以上、一実施形態に基づいて本発明を説明したが、本発明は、これに限定されるものではない。例えば、本実施の形態では、操作パネル１１が閉じた状態、操作パネル１１が任意角度状態、操作パネル１１が開いた状態の３つの状態においてそれぞれ画面表示設定を変更していたが、任意角度状態においては１つの画面表示設定とはせずに、操作パネル１１の角度に応じて表示パネル１４の視認性が最適となるように画面表示設定を変更するようにしてもよい。例えば、操作パネル１１が３０度傾く毎に画面表示設定を変化するようにしてもよい。
【図面の簡単な説明】
【００４１】
【図１】本発明の実施の形態に係るナビゲーション装置の外観構成を示す斜視図である。
【図２】操作パネルが任意角度状態のときを示す上記ナビゲーション装置の外観構成を示す斜視図である。
【図３】操作パネルが開閉する機構を示す図である。
【図４】操作パネルが開いた状態のときを示す上記ナビゲーション装置の外観構成を示す斜視図である。
【図５】表示パネルの構成を示す分解斜視図である。
【図６】上記ナビゲーション装置の機能的構成を示すブロック図である。
【図７】操作パネルが閉じた状態及び開いた状態の画面の輝度設定画面を示す図である。
【図８】操作パネルが閉じた状態及び任意角度状態の画面の画質設定画面を示す図である。
【図９】実施の形態の変形例に係るナビゲーション装置の外観構成を示す斜視図である。
【図１０】操作パネルが開いた状態の時の表示画面を示す図である。
【符号の説明】
【００４２】
１０  装置本体
１１  操作パネル（前面パネル）
１４  表示パネル（表示装置）
２２  ＭＤ挿入口
２４  ディスク挿入口
【図１】
2006099867.tif 000003
【図２】
2006099867.tif 000004
【図３】
2006099867.tif 000005
【図４】
2006099867.tif 000006
【図５】
2006099867.tif 000007
【図６】
2006099867.tif 000008
【図７】
2006099867.tif 000009
【図８】
2006099867.tif 000010
【図９】
2006099867.tif 000011
【図１０】
2006099867.tif 000012